(57)【特許請求の範囲】
【請求項１】
回路内部の電源電圧を監視する電源電圧監視手段と、
この電源電圧監視手段の監視結果に応じた電流を一対の加入者線の一方に接続された電位調整用の抵抗に流すことでこれら加入者線の間の電圧を一定に保つ電流源回路と、
加入者線の前記一方あるいは他方または双方の間に接続されたスイッチ群と、
これらスイッチ群を操作して加入者線の試験を行ったとき所定の出力抵抗の一端に現われる電圧を入力してその試験の判定を行う試験結果判定手段
とを具備することを特徴とする加入者回路。
【請求項２】
回路内部の電源電圧を監視する電源電圧監視手段と、
この電源電圧監視手段の監視結果に応じた電流を一対の加入者線の一方に接続された電位調整用の抵抗に流すことでこれら加入者線の間の電圧を一定に保つ電流源回路と、
加入者線の前記一方あるいは他方または双方の間に接続されたスイッチ群と、
前記加入者線の一方に接続され、前記スイッチ群を操作して加入者線の試験を行ったとき加入者線に誘導された交流電圧を所定の電圧にクランプするための電流を前記電位調整用の抵抗に流すクランプ電流源と、
前記スイッチ群を操作して加入者線の試験を行ったとき所定の出力抵抗の一端に現われる電圧を入力してその試験の判定を行う試験結果判定手段
とを具備することを特徴とする加入者回路。
【請求項３】
前記クランプ電流源は、前記電位調整用の抵抗に流す電流と同一の電流を前記出力抵抗にも流す第１の出力端子を備えており、出力抵抗に流れる電流は、交流誘導の影響を受けたときのものと同一のものとなることを特徴とする請求項１記載の加入者回路。
【請求項４】
スイッチおよび基準抵抗の直列回路からなり前記スイッチ群を介して一対の加入者線と接続された第１のリファレンス素子を備え、前記スイッチ群の操作によって加入者線と切り離された状態で第１のリファレンス素子の前記スイッチをオンにして前記基準抵抗を使用し前記出力抵抗の電圧を測定し、この後に通常の絶縁試験のための測定を行って両者の測定結果を使用し構成部品のバラツキをキャンセルすることを可能とする請求項１または請求項２記載の加入者回路。
【請求項５】
スイッチおよび基準容量の直列回路からなり前記スイッチ群を介して一対の加入者線と接続された第２のリファレンス素子を備え、前記スイッチ群の操作によって加入者線と切り離された状態で第２のリファレンス素子の前記スイッチをオンにして前記基準容量を使用し前記出力抵抗の電圧を測定し、この後に通常の容量試験のための測定を行って両者の測定結果を使用し構成部品のバラツキをキャンセルすることを可能とする請求項１または請求項２記載の加入者回路。
【発明の詳細な説明】
【０００１】
【発明の属する技術分野】
本発明は媒体試験を行う機能を付加された加入者回路に係わり、特に加入者端末に接続された加入者線の電圧、容量等の試験を行う機能を有する加入者回路に関する。
【０００２】
【従来の技術】
加入者回線のそれぞれが地絡等の各種の異常な状態におかれているかどうかを交換機側で把握するために、加入者端末と接続される加入者線に対する媒体試験が行われるようになっている。従来では、専用の試験装置がこのような試験を行うために用いられていた。
【０００３】
ところが、近年では比較的多数の加入者端末が加入者線で交換機と直接接続される接続形態から、光リモート化による接続形態に変化してきている。この光リモート化による接続形態では、比較的小数の加入者端末の近傍までそれぞれ光ケーブルが敷設されている。そして、これら遠隔地の光ケーブルのそれぞれの端部に配置された比較的小さな交換機に、比較的少数の加入者端末が加入者線で接続されるようになっている。このように１台の交換機が受け持つ加入者線の数が少数となっているので、小規模の交換機ごとに試験装置を個別に配置することは、経済的に成立しにくい状況になってきている。
【０００４】
そこで、加入者回路自体にこのような媒体試験を行う機能を持たせることが提案され、実用化されるようになっている。
【０００５】
図８は従来提案された媒体試験を行う機能を付加された加入者回路の要部を表わしたものである。特開平９−２３８１８５号公報に開示されたこの記録技術では、加入者線と接続された加入者回路の初段部に電流・電圧測定部１１１を設けている。電流・電圧測定部１１１は加入者線に流れる電流あるいは電圧を測定する。その測定結果は、外来電圧印加判定部１１２に入力されてその比較判定部１１３で外来電圧が規定値よりも大きいか否かの比較判定を行う。これを基にして、次に説明するタイミングで判定結果出力部１１４が判定結果１１５を出力するようになっている。
【０００６】
電流・電圧測定部１１１による測定結果は、平均化処理部１１６にも入力され、ここで測定された電圧または電流が平均化される。タイマやメモリ等からなる安定化検知部１１７は平均化処理部１１６の出力の変動を監視して、変動が所定のしきい値以下に安定したときに前記した判定結果出力部１１４から判定結果１１５を出力させる。
【０００７】
平均化処理部１１６の出力は絶縁抵抗良否判定部１１８にも入力される。絶縁抵抗良否判定部１１８では、その比較判定部１１９で加入者線間および加入者線とアース間の絶縁抵抗の良否を判定する。判定結果出力部１２１は比較判定部１１９の出力と判定結果１１５を入力して、判定結果１２２を出力することになる。
【０００８】
図９は、従来提案された他の加入者回路の要部を示したものである。特開平１０−６６１１１号公報で開示されたこの技術では、加入者端末としての電話機１３１に接続された加入者線１３２の両端に第１のスイッチ群１３３を接続している。第１のスイッチ群１３３は、加入者線１３２を含む加入者回線に直流電流を供給する給電回路１３５に通信路線１３６で接続されており、加入者線１３２と給電回路１３５との接続および開放を行うようになっている。線間電圧検出回路１３８は、通信路線１３６に接続されており、線間電圧に比例した電圧を出力する。一対の通信路線１３６の間には抵抗１３９と第２のスイッチ群１４０が直列に接続されており、抵抗１３９を接続したときの線間電圧検出回路１３８の出力と、加入者線１３２を接続したときの線間電圧検出回路１３８の出力とを、保持手段１４４の後段に配置された差分検出手段１４５で比較し、この検出結果を積分手段１４６で積分する。絶縁抵抗判定手段１４７は、積分手段１４６の出力を所定の基準電圧とで比較して絶縁抵抗の良否を判定するようになっている。
【０００９】
この他、特開平１０−７０６０９号公報でも、専用の試験装置を省略して同様の手法による加入者回路で試験を経済的に行うことを提案している。
【００１０】
【発明が解決しようとする課題】
以上説明したように光リモート化に対応させて一部の回路を付加することで加入者線の試験を行うようにした加入者回路が各種提案されている。しかしながら、加入者回路自体を使用して加入者線の特性の試験を行うと、加入者線の一方とグランド間の電圧を測定するような場合に、加入者回路内の電源電圧の変動が加入者線間の電圧を直接変動させることになった。この結果として、この線間電圧によってインピーダンスを変化させるような端末が加入者線に接続されているような場合には、このようなインピーダンスの変化によって試験の結果が影響を受けてしまい、誤った試験結果が得られてしまうといった恐れがあった。
【００１１】
このように加入者回路を使用した従来の手法では、試験結果として必ずしも高精度な結果あるいは信頼性の高い試験結果を得ることができないといった問題があった。
【００１２】
そこで本発明の目的は、媒体試験機能を付加した回路構成であっても従来よりも高精度の試験結果を得ることができる加入者回路を提供することにある。
【００１３】
【課題を解決するための手段】
請求項１記載の発明では、（イ）回路内部の電源電圧を監視する電源電圧監視手段と、（ロ）この電源電圧監視手段の監視結果に応じた電流を一対の加入者線の一方に接続された電位調整用の抵抗に流すことでこれら加入者線の間の電圧を一定に保つ電流源回路と、（ハ）加入者線の前記した一方あるいは他方または双方の間に接続されたスイッチ群と、（ニ）これらスイッチ群を操作して加入者線の試験を行ったとき所定の出力抵抗の一端に現われる電圧を入力してその試験の判定を行う試験結果判定手段とを加入者回路に具備させる。
【００１４】
すなわち請求項１記載の発明では、加入者回路内にその回路内部の電源電圧を監視する電源電圧監視手段を設け、電源電圧の監視結果に応じて電位調整用の抵抗に電流を流し、その電圧降下を利用して加入者線の間の電圧を一定に保つようにしている。そして、加入者線の一方あるいは他方または双方の間に接続されたスイッチ群を操作して加入者線の絶縁試験等の試験を行うときの、内部電源の電圧変動による測定誤差を軽減するようにして加入者線の試験を加入者回路を用いて行う場合に、従来よりも高精度の試験結果を得ることができるようにした。
【００１５】
請求項２記載の発明では、（イ）回路内部の電源電圧を監視する電源電圧監視手段と、（ロ）この電源電圧監視手段の監視結果に応じた電流を一対の加入者線の一方に接続された電位調整用の抵抗に流すことでこれら加入者線の間の電圧を一定に保つ電流源回路と、（ハ）加入者線の前記した一方あるいは他方または双方の間に接続されたスイッチ群と、（ニ）加入者線の一方に接続され、スイッチ群を操作して加入者線の試験を行ったとき加入者線に誘導された交流電圧を所定の電圧にクランプするための電流を電位調整用の抵抗に流すクランプ電流源と、（ホ）スイッチ群を操作して加入者線の試験を行ったとき所定の出力抵抗の一端に現われる電圧を入力してその試験の判定を行う試験結果判定手段とを加入者回路に具備させる。
【００１６】
すなわち請求項２記載の発明では、加入者回路内にその回路内部の電源電圧を監視する電源電圧監視手段を設け、電源電圧の監視結果に応じて電位調整用の抵抗に電流を流し、その電圧降下を利用して加入者線の間の電圧を一定に保つようにしている。またこの発明では、加入者線に誘導された交流電圧を所定の電圧にクランプするための電流を電位調整用の抵抗に流すクランプ電流源が設けられている。したがって、スイッチ群を操作して加入者線の試験を行うときに交流電圧が誘起されてもこれが測定に悪影響を与えないようにすることができる。したがって、加入者線の一方あるいは他方または双方の間に接続されたスイッチ群を操作して加入者線の絶縁試験等の試験を行うときの、内部電源の電圧変動や誘起された電圧による測定誤差を軽減することができ、加入者線の試験を加入者回路を用いて行う場合に、従来よりも高精度の試験結果を得ることができる。
【００１７】
請求項３記載の発明では、クランプ電流源は、電位調整用の抵抗に流す電流と同一の電流を出力抵抗にも流す第１の出力端子を備えており、出力抵抗に流れる電流は、交流誘導の影響を受けたときのものと同一のものとなることを特徴としている。これにより、クランプ電流源でクランプする前の波形を再現することができる。
【００１８】
請求項４記載の発明では、請求項１または請求項２記載の加入者回路は、スイッチおよび基準抵抗の直列回路からなりスイッチ群を介して一対の加入者線と接続された第１のリファレンス素子を備え、スイッチ群の操作によって加入者線と切り離された状態で第１のリファレンス素子のスイッチをオンにして基準抵抗を使用し出力抵抗の電圧を測定し、この後に通常の絶縁試験のための測定を行って両者の測定結果を使用し構成部品のバラツキをキャンセルすることを可能にしている。このように請求項４記載の発明では、リファレンス素子を使用することで加入者回路内の部品のバラツキをキャンセルすることで、高精度の測定が可能になる。
【００１９】
請求項５記載の発明では、請求項１または請求項２記載の加入者回路が、スイッチおよび基準容量の直列回路からなりスイッチ群を介して一対の加入者線と接続された第２のリファレンス素子を備え、スイッチ群の操作によって加入者線と切り離された状態で第２のリファレンス素子のスイッチをオンにして基準容量を使用し出力抵抗の電圧を測定し、この後に通常の容量試験のための測定を行って両者の測定結果を使用し、構成部品のバラツキをキャンセルすることを可能としている。
【００２０】
【発明の実施の形態】
【００２１】
【実施例】
以下実施例につき本発明を詳細に説明する。
【００２２】
図１は本発明の一実施例における加入者線を接続した加入者回路を表わしたものである。加入者端末２０１は、試験の対象としての一対の加入者線２０２を介して本実施例の加入者回路２０３と接続されている。加入者回路２０３は、加入者線２０２の一方の線としてのＡ線２０４を接続するＡ線端子２０５と、他方の線としてのＢ線２０６を接続するＢ線端子２０７を備えている。
【００２３】
Ａ線端子２０５は、第１のスイッチ２１１を介してライン２１２に接続されており、Ｂ線端子２０６は第２のスイッチ２１３の一端およびシリコン制御整流器（ＳＣＲ）からなる第３のスイッチ２１４のカソード側に接続されている。第２のスイッチ２１３の他端であるコモン接点側はライン２１２に接続されており、第３のスイッチ２１４のアノード側は接地されている。これら各スイッチ２１１、２１３、２１４は、試験の内容に応じて適宜オン・オフ制御されるようになっている。電源ＶＢＢについての電源電圧の監視を行うための電源電圧監視回路２１６は一端を接地しており、他端をこの電源ＶＢＢのマイナス側に接続している。電源ＶＢＢのプラス側は接地されている。
【００２４】
電源電圧監視回路２１６は、電源ＶＢＢの電位を比例させて縮小した形の監視出力２１８を電流源２１９に対して出力するようになっている。電流源２１９は、その一端が電源ＶＣＣのプラス側に接続されている。電源ＶＣＣのマイナス側は接地されている。電流源２１９は、これに接続された第１のトランジスタスイッチ２２１がオンの状態でライン２１２に電流を流すようになっている。これにより、ライン２１２に一端を接続した抵抗２２２を介して、カレントミラー回路２２３の入力側に電流が流れる。カレントミラー回路２２３は、その入力側に抵抗２２２を接続すると共に、出力側に出力抵抗２２５を接続している。出力抵抗２２５を流れる電流は、電圧に変換される。この変換された電圧がＤＳＰ（ディジタル・シグナル・プロセッサ）回路２２６に入力されて演算され、試験結果の判定が行われて判定結果２２７が出力される。
【００２５】
カレントミラー回路２２３と出力抵抗２２５は給電回路２３１を構成している。この給電回路２３１は、Ａ線端子２０５とＢ線端子２０７の間の電圧（一対の加入者線２０２の線間電圧）が所定の電圧に保たれるように、加入者線２０２に直流を給電する役割を果たしている。
【００２６】
ところで、加入者線２０２に交流誘導がある場合であってもＡ線端子２０５とＢ線端子２０７の間の線間電圧を測るときには両者が常に同一の電位となるので相殺され、その交流が試験に影響を与える心配はない。ところが第３のスイッチ２１４をオンにしてＢ線端子２０７側をグランド電位に固定して試験を行う場合には、加入者線２０２に交流誘導があると、Ａ線端子２０５側にその影響が出る。
【００２７】
図２は交流誘導時のＡ線の端子電圧の変化を表わしたものである。Ｂ線端子２０７がほぼグランド電位ＶＧに設定されているので、Ａ線端子２０５側の電圧ＶＡが誘導された交流電圧の値になっている。
【００２８】
したがって、この状態で例えばＡ線端子２０５とＢ線端子２０７の線間電圧を測定すると、これが本来の線間電圧としての所定の電圧Ｖｒｅｆを越えることになる。そこで所定の電圧Ｖｒｅｆで電圧をクランプするクランプ電流源２３３が設けられている。クランプ電流源２３３の第１出力は第２のトランジスタスイッチ２３４を介してライン２１２に接続されており、第２出力はＤＳＰ回路２２６の入力側、カレントミラー回路２２３の出力側および出力抵抗２２５の共通接続点に接続されている。
【００２９】
図３は、クランプ電流源を動作させたときのＡ線の端子電圧の変化を表わしたものである。クランプ電流源２３３は、交流誘導の影響によって線間電圧が所定の電圧Ｖｒｅｆよりも高くなるとライン２１２を通じて加入者線２０２に電流を流すことで線間電圧のピークを一定に保つことができる。この図では、所定の電圧ＶｒｅｆをＡ線端子２０５とＢ線端子２０７の間の電圧とするために、交流誘導が生じていないと仮定したときの電圧として表わしている。このようにクランプ電流源２３３の存在によって、加入者線２０２に交流誘導等の何等かの電圧成分が重畳された場合でも、線間の電圧を所定の電圧に保つことができる。
【００３０】
クランプ電流源２３３は、その第１の出力と同じ電流が第２の出力からも出力される構成となっている。この第２の出力はカレントミラー回路２２３の出力側に接続されている。したがって、出力抵抗２２５に流れる電流は、交流誘導の影響を受けたときのものと同じものとなる。これを図４〜図６と共に説明する。
【００３１】
図４は、クランプ電流源２３３を動作させないときにＤＳＰ回路２２６に入力される電圧波形を表わしている。クランプ電流源２３３が動作していないので、交流分が重畳した電圧ＶＤＳＰがＤＳＰ回路２２６に加わることになる。
【００３２】
図５は、クランプ電流源２３３が動作しており、かつクランプ電流源２３３の第２の出力を出力抵抗２２５に接続していない状態でのＤＳＰ回路２２６に入力される電圧波形を表わしたものである。クランプ電流源２３３の第１の出力がライン２１２に供給されているので、グランド電位ＶＧに対する所定の電圧Ｖｒｅｆ以上の電圧はカットされることになる。この場合には、所定の電圧Ｖｒｅｆにピークが押さえられた電圧ＶＤＳＰがＤＳＰ回路２２６に加わることになる。
【００３３】
図６は、クランプ電流源２３３が動作しており、かつクランプ電流源２３３の第２の出力も動作している状態でのＤＳＰ回路２２６に入力される電圧波形を表わしたものである。既に説明したように本実施例の回路構成ではクランプ電流源２３３の第２の出力が出力抵抗２２５に出力される結果、出力抵抗２２５に流れる電流は、交流誘導の影響を受けたときのものと同じものとなる。したがって、ＤＳＰ回路２２６には図４に示したと同一波形のＶＤＳＰが印加されることになる。
【００３４】
以上のような回路内容の加入者回路２０３を用いて加入者線２０２の絶縁抵抗の良否を試験する場合を次に具体的に説明する。加入者線２０２の絶縁抵抗の試験としては、次の３つの形態がある。
（ａ）Ａ線２０４とグランド間の絶縁抵抗の測定
（ｂ）Ｂ線２０６とグランド間の絶縁抵抗の測定
（ｃ）Ａ線２０４とＢ線２０６の間の絶縁抵抗の測定
【００３５】
まず、Ａ線２０４とグランド間の絶縁抵抗の測定について説明する。この試験を行う場合には、第１のスイッチ２１１をオンにし、第２のスイッチ２１３および第３のスイッチ２１４をオフにする。この状態で、加入者線２０２と加入者回路２０３を接続する。このとき、第１のトランジスタスイッチ２２１をオンにし、電流源２１９の電流を抵抗２２２へ流すことで、Ａ線端子２０５の電位を図３に示す所定の電圧Ｖｒｅｆ以上とする。第３のスイッチ２１４がオフとなっているので、交流誘導が影響することはない。したがって、クランプ電流源２３３は動作させていない。
【００３６】
この状態で、電流源２１９から抵抗２２２に流れる電流Ｉは、次の（１）式で表わすことができる。
Ｉ＝｜ＶＢＢ−ＶＡ｜／Ｒ    ……（１）
ただし、符号Ｒは抵抗２２２についての抵抗値である。
【００３７】
絶縁抵抗を流れた電流と、電流源２１９から抵抗２２２に流れる電流Ｉが、カレントミラー回路２２３で折り返されて出力抵抗２２５に流れる。したがって、出力抵抗２２５に流れる電流によって生じる電圧をＤＳＰ回路２２６で演算する。そして、この演算結果から得られた絶縁抵抗を流れた電流の値からＡ線２０４とグランド間の絶縁抵抗が良好であるかどうかを判定する。試験結果は判定結果２２７として出力されることになる。
【００３８】
次に、Ｂ線２０６とグランド間の絶縁抵抗の測定を行う場合を説明する。この場合には、第２のスイッチ２１３をオンにして、第１および第３のスイッチ２１１、２１４をオフにする。この場合にも第３のスイッチ２１４がオフとなっているので、交流誘導が影響することはない。したがって、クランプ電流源２３３は動作させない。この状態で先のＡ線２０４とグランド間の絶縁抵抗の測定と同様にしてＢ線２０６とグランド間の絶縁抵抗の測定を行う。これについての説明は、先の説明と重複するので省略する。
【００３９】
次に、Ａ線２０４とＢ線２０６の間の絶縁抵抗の測定について説明する。この測定に際しては、第１のスイッチ２１１および第３のスイッチ２１４をオンにし、第２のスイッチ２１３をオフにする。この状態で、Ｂ線端子２０７がグランド電位に固定されることになる。このため、既に説明したように加入者線２０２に交流誘導があるとＡ線２０４とＢ線２０６の線間電圧が図２で説明したように所定の電圧（所定の電圧Ｖｒｅｆ）以上となってしまう事態が発生する。そこで、この試験に際してはクランプ電流源２３３を動作させる。
【００４０】
これによって、Ａ線端子２０５の電圧が所定の電圧以下になるとクランプ電流源２３３の第１出力から電流が抵抗２２２に流れる。この電流値と同じ値の電流がクランプ電流源２３３の第２出力から流れ、カレントミラー回路２２３の出力と共に出力抵抗２２５に流される。この結果、交流誘導による電圧低下を補った電流分を出力電流から取り除くことができる。すなわち、出力抵抗２２５では交流誘導が伴った場合の電圧と同様の電圧変化となり、線間電圧を所定の電圧に保ちながら、交流誘導を含んだ電圧を処理できることになる。すなわち、図６で説明したように、図４に示すクランプ電流源２３３が動作していないときのＤＳＰ回路２２６の出力電圧と同じになる。
【００４１】
以上、絶縁抵抗の測定について説明したが、加入者線２０２のＡ線２０４とＢ線２０６の間における容量分を試験する容量試験や、外来電圧試験についても同様に対応するスイッチ等を操作し、加入者回路２０３内に該当する試験回路を作成して試験を行うようにすればよい。ここでＤＳＰ回路２２６における容量試験の判定は、線間の時定数の違いを利用して行うようにし、外来電圧試験については出力される電圧をそのまま出力結果として判定することになる。
【００４２】
発明の変形例
【００４３】
図７は、本発明の変形例における加入者線を接続した加入者回路を表わしたものである。図１と同一部分には同一の符号を付しており、これらの説明を適宜省略する。この変形例の加入者回路３０３は、ライン２１２と第３のスイッチ２１４のアノード側のライン３０５（グランド側のライン）との間に、第３のトランジスタスイッチ３０６と抵抗３０７から成る直列回路と、第４のトランジスタスイッチ３０８とコンデンサ３０９から成る直列回路が接続されている。コンデンサ３０９は、予め定めた基準の容量となっている。
【００４４】
このような変形例の加入者回路で絶縁抵抗試験を行う場合を説明する。この場合には、まず第１〜第３のスイッチ２１１、２１３、２１４をすべてオフにする。このようにして加入者線２２を加入者回路３０３から切り離した後、第３のトランジスタスイッチ３０６をオンにして測定を行う。この後、先の実施例で説明したように、（ａ）Ａ線２０４とグランド間の絶縁抵抗の測定、（ｂ）Ｂ線２０６とグランド間の絶縁抵抗の測定、（ｃ）Ａ線２０４とＢ線２０６の間の絶縁抵抗の測定のうちの必要とする測定を実行する。これらの測定については、先の実施例と同様である。以上の２種類の測定が終了したら、これらの測定結果をＤＳＰ回路２２６に入力して比較し、絶縁抵抗試験にいての判定結果２２７を出力する。
【００４５】
このようにこの変形例ではリファレンス素子を使用し、しかもその他の部品は先の実施例と同様の部品構成とすることで、加入者回路３０３内の部品のバラツキによる試験の際の測定誤差をキャンセルするとができる。
【００４６】
以上、絶縁抵抗試験を行う場合について変形例を説明したが、加入者線２０２のＡ線２０４とＢ線２０６の間における容量分を試験する容量試験も同様にして行うことができる。すなわちこの場合には、先と同様に加入者線２２を加入者回路３０３から切り離した後、第４のトランジスタスイッチ３０８をオンにして測定を行う。そして、その後にＡ線２０４とＢ線２０６の間の容量の測定を行い、これらの測定結果をＤＳＰ回路２２６に入力して比較し、判定結果２２７を出力することになる。この場合にも加入者回路３０３内の部品のバラツキによる試験の際の測定誤差をキャンセルすることができる。
【００４７】
なお以上説明した実施例および変形例では、加入者回路にＤＳＰ回路２２６を使用して試験結果を判定することにしたが、測定電圧をＣＰＵ（中央処理装置）等の他のとデータ処理装置または回路に入力して同様の判定を行わせるようにしてもよい。
【００４８】
また実施例および変形例では、第１〜第３のスイッチ２１１、２１３、２１４を加入者回路に本来備えられている部品として説明したが、これらの一部または全部に対応する新たな回路素子を追加して同様の試験を行う場合にも本発明を適用することができることはもちろんである。
【００４９】
【発明の効果】
以上説明したように請求項１記載の発明によれば、加入者回路内にその回路内部の電源電圧を監視する電源電圧監視手段を設け、電源電圧の監視結果に応じて電位調整用の抵抗に電流を流すことで、その電圧降下を利用して加入者線の間の電圧を一定に保つようにした。このため、内部電源の電圧変動による測定誤差を軽減することができ、従来よりも高精度の試験結果を得ることができる。
【００５０】
また、請求項２記載の発明によれば、加入者線に誘導され加入者線の測定の際に問題とされる電位の変動をクランプ電流源によって解消させることしたので、加入者回路を使用しても高精度の測定が可能になる。
【００５１】
更に請求項３記載の発明では、クランプ電流源が、電位調整用の抵抗に流す電流と同一の電流を出力抵抗にも流す第１の出力端子を備える構成となっているので、出力抵抗に流れる電流を、交流誘導の影響を受けなかったものと同一のものにすることができる。これにより、クランプ電流源でクランプする前の波形を再現することができる。
【００５２】
また請求項４および請求項５記載の発明によれば、リファレンス素子を使用して絶縁抵抗や容量の測定を行うので、加入者回路内の部品のバラツキをキャンセルすることができ、高精度の測定が可能になる。
【図面の簡単な説明】
【図１】本発明の一実施例における加入者線を接続した加入者回路を表わした回路図である。
【図２】本実施例における交流誘導時のＡ線の端子電圧の変化を表わした波形図である。
【図３】本実施例でクランプ電流源を動作させたときのＡ線の端子電圧の変化を表わした波形図である。
【図４】本実施例でクランプ電流源を動作させないときにＤＳＰ回路に入力される電圧波形を表わした波形図である。
【図５】本実施例でクランプ電流源が動作しており、かつクランプ電流源の第２の出力を出力抵抗に接続していない状態でのＤＳＰ回路に入力される電圧波形を表わした波形図である。
【図６】本実施例でクランプ電流源が動作しており、かつクランプ電流源の第２の出力も動作している状態でのＤＳＰ回路に入力される電圧波形を表わした波形図である。
【図７】本発明の変形例における加入者線を接続した加入者回路を表わした回路図である。
【図８】従来提案された媒体試験を行う機能を付加された加入者回路の要部を表わしたブロック図である。
【図９】従来提案された他の加入者回路の要部を示したブロック図である。
【符号の説明】
２０１  加入者端末
２０２  加入者線
２０３、３０３  加入者回路
２１１  第１のスイッチ
２１３  第２のスイッチ
２１４  第３のスイッチ
２１６  電源電圧監視回路
２１９  電流源
２２２、３０７  抵抗
２２３  カレントミラー回路
２２５  出力抵抗
２２６  ＤＳＰ回路
２２７  判定結果
２３３  クランプ電流源
３０６  第３のトランジスタスイッチ
３０８  第４のトランジスタスイッチ
３０９  コンデンサ
【図１】
0003593927.tif 000002
【図２】
0003593927.tif 000003
【図３】
0003593927.tif 000004
【図４】
0003593927.tif 000005
【図５】
0003593927.tif 000006
【図６】
0003593927.tif 000007
【図７】
0003593927.tif 000008
【図８】
0003593927.tif 000009
【図９】
0003593927.tif 000010